(57)【要約】【課題】黒体軌跡から乖離した定温度側の色温度と項温度側の色温度における照射光の光量を減らすことができ、違和感の少ない照射光を得る。【解決手段】２７００Ｋ未満の色温度の範囲である第１の色温度範囲または５０００Ｋを超える色温度の範囲である第２の色温度範囲のいずれかにおける照明光の光量が、第１及び第２の発光素子３１、３２の各々の最大光量の合計値である可能総最大光量の３０％以下の光量になるよう、第１及び第２の発光素子各々の光量を決定する。【選択図】図４
2014212082.tif 000002
【特許請求の範囲】
【請求項１】
２７００Ｋ以下の色温度の光を放射する第１の発光素子および５０００Ｋ以上の色温度の光を放射する第２の発光素子を有する照明光源と、
前記第１及び第２の発光素子を個別且つ任意の光量で発光させる発光素子駆動部と、
前記照明光源から照射される照明光の色温度および光量が外部からの操作入力に応じた色温度および光量となるように、前記第１及び第２の発光素子の各々の光量を決定する光量決定部と、を備える照明器具であって、
前記光量決定部は、２７００Ｋ未満の色温度の範囲である第１の色温度範囲または５０００Ｋを超える色温度の範囲である第２の色温度範囲のいずれかにおける照明光の光量が、前記第１及び第２の発光素子の各々の最大光量の合計値である可能総最大光量の３０％以下の光量になるよう、前記第１の発光素子及び前記第２の発光素子各々の光量を決定する、照明器具。
【請求項２】
請求項１に記載の照明器具であって、
前記光量決定部は、前記第１の色温度範囲または前記第２の色温度範囲のいずれかにおける照明光の光量をゼロに決定する、照明器具。
【請求項３】
請求項１に記載の照明器具であって、
前記光量決定部は、前記第１の色温度範囲および前記第２の色温度範囲の両方における照明光の光量が、前記可能総最大光量の３０％以下の光量になるよう、前記第１の発光素子及び前記第２の発光素子各々の光量を決定する、照明器具。
【請求項４】
請求項３に記載の照明器具であって、
前記光量決定部は、前記第１の色温度範囲および前記第２の色温度範囲の両方における照明光の光量をゼロに決定する、照明器具。
【請求項５】
請求項１に記載の照明器具であって、
前記光量決定部は、ｄｕｖが＋０．０２を超える照明光の色温度の範囲を、前記第１の色温度範囲または前記第２の色温度範囲として決定する、照明器具。
【請求項６】
請求項１に記載の照明器具であって、
前記第１の発光素子及び前記第２の発光素子の色度図上における二つの色度点が、当該色度図上における黒体軌跡より上側に位置するとともに、前記二つの色度点を結ぶ直線が当該黒体軌跡に交わる、照明器具。
【発明の詳細な説明】
【技術分野】
【０００１】
本発明は、２色の発光素子を含む照明器具に関するものである。
【背景技術】
【０００２】
従来より、昼白色の蛍光ランプのような明るく青白い光（色温度の高い光）は人の気分をさわやかにするが、照度が低すぎると陰気で寒々しい感じになってしまい、一方、白熱ランプのような赤っぽい光（色温度の低い光）は、照度が低いとおだやかな雰囲気になり、照度が高すぎると暑苦しく、不快感、違和感を与える、という心理効果（クルーゾフ効果）が知られている。そして、かかる心理効果に着目し、照明光の光色（色温度）を可変とした照明装置が種々提供されている。
【０００３】
このような技術が提供される中で、特許文献１は、照明光の色温度及び光量を容易に調整できる照明装置を提案している。
【０００４】
上記照明装置においては、操作入力受付手段で受け付ける操作入力に応じて、決定手段が、所定の色温度未満の範囲では操作入力の変化に対応して照明光の色温度並びに光量が連動して増減するように照明光源の各発光素子の光量を決定する。ここで、前記所定の色温度以上の範囲では光量を所定範囲内に収めつつ操作入力の変化に対応して照明光の色温度が増減するように照明光源の各発光素子の光量を決定する。
【０００５】
上記の制御によれば、人が各色毎に各別に光量を調整する操作制御に比較して照明光の色温度及び光量を容易に調整することができる。
【０００６】
上記の技術は、赤色系（Ｒ）、緑色系（Ｇ）、青色系（Ｂ）の３色の発光素子（発光ダイオード）を有する照明光源において提案されているものである。一方、コスト削減、発光素子の精度のばらつきの緩和、制御の容易性等の観点から、最近は２色の発光素子により照明光源を構成することが提案されている。
【０００７】
特許文献２は、一例として２色の発光素子を用いた照明装置を開示している。当該文献は、２色の発光素子の色度点（色度座標）を結ぶ直線の黒体軌跡からの偏差ｄｕｖを所定の範囲内に収めることを開示している。
【先行技術文献】
【特許文献】
【０００８】
【特許文献１】特開２０１０−１７６９８４号公報
【特許文献２】特開２００９−２３８７２９号公報
【発明の概要】
【発明が解決しようとする課題】
【０００９】
しかしながら、２色の発光素子を含む照明光源において、照明光の所望の色温度に対応して各発光素子の光量を適切に決定する技術は提供されていない。すなわち、２色の発光素子の場合、３色の発光素子に比べて各発光素子が放射する光の混合により得られる照明光について制約が大きく、適切な色温度と光量の設定が難しい。
【００１０】
本発明は、２色の発光素子を用いる照明器具において、照明光の色温度に対応して各発光素子の光量を適切に決定する技術を提供する。
【課題を解決するための手段】
【００１１】
本発明に係る照明器具は、２７００Ｋ以下の色温度の光を放射する第１の発光素子および５０００Ｋ以上の色温度の光を放射する第２の発光素子を有する照明光源と、前記第１及び第２の発光素子を個別且つ任意の光量で発光させる発光素子駆動部と、前記照明光源から照射される照明光の色温度および光量が外部からの操作入力に応じた色温度および光量となるように、前記第１及び第２の発光素子の各々の光量を決定する光量決定部と、を備える照明器具であって、前記光量決定部は、２７００Ｋ未満の色温度の範囲である第１の色温度範囲または５０００Ｋを超える色温度の範囲である第２の色温度範囲のいずれかにおける照明光の光量が、前記第１及び第２の発光素子の各々の最大光量の合計値である可能総最大光量の３０％以下の光量になるよう、前記第１の発光素子及び前記第２の発光素子各々の光量を決定する。
【００１２】
本発明の一実施態様として例えば、前記光量決定部は、前記第１の色温度範囲または前記第２の色温度範囲のいずれかにおける照明光の光量をゼロに決定する。
【００１３】
本発明の一実施態様として例えば、前記光量決定部は、前記第１の色温度範囲および前記第２の色温度範囲の両方における照明光の光量が、前記可能総最大光量の３０％以下の光量になるよう、前記第１の発光素子及び前記第２の発光素子各々の光量を決定する。
【００１４】
本発明の一実施態様として例えば、前記光量決定部は、前記第１の色温度範囲および前記第２の色温度範囲の両方における照明光の光量をゼロに決定する。
【００１５】
本発明の一実施態様として例えば、前記光量決定部は、ｄｕｖが＋０．０２を超える照明光の色温度の範囲を、前記第１の色温度範囲または前記第２の色温度範囲として決定する。
【００１６】
本発明の一実施態様として例えば、前記第１の発光素子及び前記第２の発光素子の色度図上における二つの色度点が、当該色度図上における黒体軌跡より上側に位置するとともに、前記二つの色度点を結ぶ直線が当該黒体軌跡に交わる。
【発明の効果】
【００１７】
本発明に係る照明器具によれば、黒体軌跡から乖離した定温度側の色温度と項温度側の色温度における照射光の光量を減らすことができ、違和感の少ない照射光を得ることが可能となる。
【図面の簡単な説明】
【００１８】
【図１】本発明の実施形態の照明器具を示し、（ａ）は全体構成図、（ｂ）は電源ユニットのブロック図、（ｃ）は発光素子駆動部の回路構成図
【図２】本発明に係る実施形態の照明器具の照明光源の平面図
【図３】ｘ＝０．２５〜０．５５およびｙ＝０．２５〜０．４５の範囲に限定したｘｙ色度図の一部を示す図
【図４】実施形態における色温度と光量の関係を示す調光カーブ
【図５】変形例における色温度と光量の関係を示す調光カーブ
【発明を実施するための形態】
【００１９】
以下、本発明に係る実施形態の照明器具について図面を参照して説明する。
【００２０】
本施形態の照明器具４０は、図１（ａ）に示すように照明光源３と、電源ユニット２とで構成されている。照明光源３は、第１の発光素子（発光ダイオード）３１、第２の発光素子（発光ダイオード）３２を有している。但し、２色の発光素子は発光ダイオード以外の発光素子、例えば、有機ＥＬ素子であっても構わない。ここで、各色の発光素子３１、３２の光色の色度座標がそれぞれ（ｘ１，ｙ１）、（ｘ２，ｙ２）であり、各発光素子３１、３２の光量がそれぞれＹ１、Ｙ２であるとすれば、混色光である照明光の光色の色度座標（ｘ0，ｙ0）及び光量Ｙ0は、下記の数１で表される。
【００２１】
【数１】
2014212082.tif 000003
【００２２】
ここにおいて、発光ダイオードからなる発光素子３１、３２については光量Ｙ１、Ｙ２を変えても光色（光の波長）が変化しないので、発光素子３１、３２の光量Ｙ１、Ｙ２の比率を変化させることで混色として得られる照明光の光色を変えることができ、また、各発光素子３１、３２の光量Ｙ１、Ｙ２の比率を保った状態で光量Ｙ１、Ｙ２を変化させれば、同一の光色において照明光の光量を変えることができる。発光ダイオードからなる発光素子３１、３２の光量Ｙ１、Ｙ２は給電量によって決まるから、後述するように電源ユニット２から各発光素子３１、３２に供給する給電量を増減することで照明光の光色並びに光量を調節することができる。ここで、照明光の色度が黒体軌跡にほぼ沿って変化するように照明光源の各発光素子３１、３２の光量Ｙ１、Ｙ２を決定することにより、照明光の光色を色温度で指定することができる。
【００２３】
光量は照明光の明るさの指標であり、例えば光束または照度等のような量に相当するものである。光束の単位は「ｌｍ（ルーメン）」であり、照度の単位は「ｌｘ（ルクス）」または「ｌｍ／ｍ２（ルーメン毎平方メートル）」である。
【００２４】
電源ユニット２は、図１（ｂ）に示すように、後述するコントローラ１から制御信号が入力される制御信号入力部２０と、コントローラ１を通じて給電される交流電圧を所望の直流電圧に変換する交流／直流変換部２１と、第１の発光素子３１を駆動する第１発光素子駆動部２２Ａ（発光素子駆動部）と、第２の発光素子３２を駆動する第２発光素子駆動部２２Ｂ（発光素子駆動部）と、制御信号入力部２０に入力される制御信号を、第１発光素子駆動部２２Ａと第２発光素子駆動部２２Ｂに与えるべき駆動信号に変換する駆動信号変換部２３とを備えている。
【００２５】
第１発光素子駆動部２２Ａと第２発光素子駆動部２２Ｂは共通の構成を有するものであって、図１（ｃ）に示すように交流／直流変換部２１の高電位側の出力端と発光素子３１、３２のアノードとの間に挿入された限流抵抗Ｒと、発光素子３１、３２のカソードにソースが接続されるとともにドレインが交流／直流変換部２１の低電位側の出力端（グランド）に接続された電界効果トランジスタからなるスイッチング素子Ｑ１と、駆動信号変換部２３から出力される駆動信号を波形整形する波形整形回路とで構成される。この波形整形回路は従来周知のものであって、コレクタが交流／直流変換部２１の高電位側の出力端に接続され且つエミッタがスイッチング素子Ｑ１のゲートに接続されたＰＮＰ型のバイポーラトランジスタＴｒ１並びにコレクタがスイッチング素子Ｑ１のゲートに接続され且つエミッタがグランドに接続されたＮＰＮ型のバイポーラトランジスタＴｒ２からなり、並列接続された２つのトランジスタＴｒ１、Ｔｒ２のベースに入力される駆動信号を波形整形してスイッチング素子Ｑ１のゲートに出力する。ここで、駆動信号変換部２３ではオンデューティ比が可変である一定周期の矩形波信号からなる駆動信号を出力することにより、第１発光素子駆動部２２Ａと第２発光素子駆動部２２Ｂのスイッチング素子Ｑ１をＰＷＭ（パルス幅変調）制御して発光素子３１、３２への給電量を調節している。したがって、第１発光素子駆動部２２Ａと第２発光素子駆動部２２Ｂは、第１の発光素子３１と第２の発光素子３２とを個別に且つ任意の光量で発光させる発光素子駆動部役割を果たす。
【００２６】
本実施形態の照明器具４０において、照明光源３はコネクタ３６とともにコネクタ付ハウジングユニット３４として一体にパッケージ化されている。コネクタ付ハウジングユニット３４はコネクタ３６を介して電源ユニット２に簡易に接続可能である。そして、照明器具４０はコントローラ１と接続され、全体として照明システム（装置）を構成する。
【００２７】
コントローラ１は箱形の合成樹脂成形品からなるハウジング１０を有し、ハウジング１０の前面に円筒形状の操作部１１と電源スイッチの操作釦１２が配設されている（図１
（ａ）参照）。電源スイッチ（図示せず）はタンブラスイッチや押釦スイッチからなり、交流電源ＡＣから電源ユニット２への給電経路を開閉するものである。ハウジング１０内には操作部１１の操作によって変動する制御信号を生成する制御信号生成部（図示せず）が収納されている。制御信号生成部は、使用者の操作部１１の操作に対応した制御信号を生成して電源ユニット２に出力する。
【００２８】
操作部１１はハウジング１０に対して回動自在に設けられており、使用者が操作部１１を時計回りまたは反時計回りに回動することにより、前面に形成されているマーク１１ａが、回動方向における二つの位置の間の所定の位置に位置する。この回動に応じてコントローラからの制御信号が変動する。
【００２９】
電源ユニット２においては、コントローラ１の制御信号生成部から出力される制御信号が、制御信号入力部２０によってオンデューティ比（逆数色温度）に対応した電圧レベルの直流電圧信号に変換され、さらに当該直流電圧信号が、駆動信号変換部２３にて各色系の第１発光素子駆動部２２Ａ、第２発光素子駆動部２２Ｂに対する駆動信号に変換される。駆動信号変換部２３はマイコンとメモリを有しており、直流電圧信号の信号レベル（逆数色温度）、当該逆数色温度から逆算される色温度、色温度に対応する照明光の光色の色度座標（ｘ0，ｙ0）、当該色度座標と対応する各発光素子３１、３２の光量Ｙ１、Ｙ２の比率、並びに各発光素子３１、３２の光量Ｙ１、Ｙ２の対応関係を表した変換テーブルがメモリに格納され、当該変換テーブルに基づいてマイコンにより直流電圧信号を駆動信号に変換する。
【００３０】
制御信号入力部２０と駆動信号変換部２３は、照明光源３からの照明光の色温度および光量が、外部からの操作入力である操作部１１の操作入力に応じた色温度および光量となるように、第１の発光素子３１と第２の発光素子３２の各々の光量を決定する光量決定部を構成する。光量決定部が決定した光量に従い、発光素子駆動部（第１発光素子駆動部２２Ａと第２発光素子駆動部２２Ｂ）は第１の発光素子３１と第２の発光素子３２に給電を行う。
【００３１】
図２は、照明光源３の平面図を示す。照明光源３は、基板３７、第１の発光素子３１、第２の発光素子３２、二つの電極パッド３５、３５から構成される。基板３７はセラミック基材より構成される。基板３７上に形成された二つの電極パッド３５、３５の各々は、コネクタ３６を介して電源ユニット２の第１発光素子駆動部２２Ａ、第２発光素子駆動部２２Ｂに接続される。さらに二つの電極パッド３５、３５より延びる一系統の金属導体回路が基板３７上に形成されている。そして、金属導体回路にＬＥＤ（Light Emitting Diode）チップが実装され、ＬＥＤチップに異なる発色をなす蛍光体を塗布することにより、第１の発光素子３１、第２の発光素子３２という異なる二色の発光素子が形成される。すなわち、照明光源３は、これら二光色の系統を有したＬＥＤパッケージとして提供される。このようなＬＥＤパッケージはいわゆるＣＯＢ（Chip On Board）、ＳＭＤ（Surface Mount Device）等と呼ばれるものである。
【００３２】
本実施形態においては、一つの金属導体回路上に五つのＬＥＤチップが直列接続で配置され、当該五つのチップのうち三つのチップ上に所定の発色をなす蛍光体を塗布することで、第１の発光素子３１を構成する、三つのサブ発光素子３１Ａ、３１Ｂ、３１Ｃが図の上から縦方向に順番に形成されている。また、同じ金属導体回路上に五つのチップのうち他の二つのＬＥＤチップが配置され、当該チップ上に他の発色をなす蛍光体を塗布することで、第２の発光素子３２を構成する、二つのサブ発光素子３２Ａ、３２Ｂが、それぞれサブ発光素子３１Ａ、３１Ｂ、３１Ｃの間に形成されている。すなわち、第１の発光素子３１と第２の発光素子３２は一つの基板３７上に実装されている。本実施形態では、同一の発色をなすサブ発光素子の間に他の発色をなすサブ発光素子が配置されているため、各サブ発光素子からの放射光の混合が良くなり、よい照明光が得られる。しかしながら、異なる二つの基板上の各々に第１の発光素子３１と第２の発光素子３２を実装してもよい。サブ発光素子の数や配列の仕方も限定はされない。
【００３３】
第１の発光素子３１と第２の発光素子３２は、互いに色温度が異なるものであり、本実施形態においては、第１の発光素子３１は２０００Ｋの色温度の光を放射し、第２の発光素子３２は８０００Ｋの色温度の光を放射する。各発光素子の色温度は塗布する蛍光体の種類、成分等を変更することにより適切に設定することができ、蛍光体の種類、成分等は特に限定されない。
【００３４】
図３はｘ＝０．２５〜０．５５およびｙ＝０．２５〜０．４５の範囲に限定して示したいわゆるｘｙ色度図の一部を示す。本図上においては黒体軌跡が実線で描かれている。黒体軌跡は太陽光の軌跡に近く、この上では太陽光（または自然光や白熱光）の自然な色味に近くなるため、人間が主観的に快適に感じる光が得られる。逆に黒体軌跡から外れた光は違和感を感じやすくなる。
【００３５】
赤色系（Ｒ）、緑色系（Ｇ）、青色系（Ｂ）の３色の発光素子（発光ダイオード）を使用して照明光源を得る場合、各発光素子の光量の比率を変更することにより、得られる照射光を色度図の任意の色度座標上に配置することが可能である。したがって、３色の発光素子を使用する場合、黒体軌跡上の光は容易に得られる。
【００３６】
一方、コスト削減等の観点から、図１の実施形態の様に、２色の発光素子３１、３２により照明光源、照明器具を構成することが提案されている。図３に示すように、第１の発光素子３１の色度座標がＰ１（ｘ１，ｙ１）であり、第２の発光素子３２の色度座標がＰ２（ｘ２，ｙ２）である場合、両発光素子の放射光の光量の比率を変化させることで、両発光素子の光の混合により得られる混色光である照明光Ｐ０（ｘ0，ｙ0）の色温度が変化する。上述したように、第１の発光素子３１の色度座標Ｐ１（ｘ１，ｙ１）は２０００Ｋの相関色温度の座標（黄色系）に位置し、第２の発光素子３２の色度座標Ｐ２（ｘ２，ｙ２）は８０００Ｋの相関色温度の座標（白〜青色系）に位置する。
【００３７】
しかしながら、２色の発光素子の場合、得られる照明光Ｐ０（ｘ0，ｙ0）の座標をｘｙ色度図の任意の色度座標上に配置することが不可能であり、図３で点線直線で表したように、Ｐ１（ｘ１，ｙ１）とＰ２（ｘ２，ｙ２）を結ぶ直線上にしか配置できない。そして、照明器具においては、実用上もっとも使用される２７００Ｋから５０００Ｋの色温度の領域における照明光が黒体軌跡の近傍で得られる状態を想定した上で、第１の発光素子３１、第２の発光素子３２を採用するのが一般的である。この例では、二つの色度点Ｐ１、Ｐ２が、黒体軌跡より上側に位置するとともに、二つの色度点Ｐ１、Ｐ２を結ぶ直線が、座標Ｐ３、Ｐ４にて黒体軌跡に交わり、直線の一部（Ｐ１〜Ｐ３およびＰ２〜Ｐ４の部分）が黒体軌跡より上側にあり、他の部分（Ｐ３〜Ｐ４の部分）が黒体軌跡より下側にある。このような直線と黒体軌跡の配置関係により、２７００Ｋから５０００Ｋの範囲では黒体軌跡に近い照明光を得ることが可能となる。
【００３８】
上記より、黒体軌跡の近傍を通過する直線を得るために、少なくとも第１の発光素子３１は２７００Ｋ以下の色温度の光を放射するものが選ばれ、第２の発光素子３２は５０００Ｋ以上の色温度の光を放射するものが選ばれる。白熱灯の代替品として、実施形態の様な発光素子を用いた照明器具（ダウンライト等）が利用されるのであり、実施形態の照明器具においても白熱灯と同じ雰囲気の空間作りが望まれているが、白熱灯は比較的調光して使用されることが多い。そして、白熱灯は調光するとその調光度合いに応じ、色温度が２７００Ｋから２０００Ｋまで低下することがある。また、色温度が高い方が明るく感じるため、近年は５０００Ｋ〜６５００Ｋの白色蛍光灯が人気である。したがって、２０００Ｋ〜８０００Ｋの色温度範囲に渡る照明光が白熱灯を代替するダウンライト等で求められており、２７００Ｋよりも更に色温度の低い第１の発光素子３１（実施形態では２０００Ｋ）、５０００Ｋよりも更に色温度の高い第２の発光素子３２（実施形態では８０００Ｋ）を使用することが求められている。また、第１の発光素子３１と第２の発光素子３２の色温度差が大きい方が好ましく、その理由は後に述べる。
【００３９】
しかしながら、特に２７００Ｋ以下の色温度の範囲および５０００Ｋ以上の色温度の範囲において、第１の発光素子３１と第２の発光素子３２の光の混合により得られる照明光は黒体軌跡からの乖離が大きくなる。本例では偏差としてのｄｕｖがプラス側に大きくずれ、色味が悪くなり、人間が主観的に違和感を感じやすくなる。ここでｄｕｖとはＪＩＳ Ｚ８７２５−１９９９で定義されるＣＩＥ １９６０ ＵＣＳ 色度座標で、相当する色温度を有する黒体軌跡からのｕ、ｖの値の偏差を１０００倍し、対象の座標が黒体軌跡の上側にあるときは正の値（プラス；＋）、下側にあるときは負の値（マイナス；−）として示される値のことである。
【００４０】
上記の様な不都合について検討した結果、発明者は２色の発光素子を用いる照明器具においても、照明光の色温度に対応して各発光素子の光量を適切に決定する技術を見出した。
【００４１】
すなわち、２７００Ｋ以下の色温度の範囲および５０００Ｋ以上の色温度の範囲において、第１の発光素子３１と第２の発光素子３２の光の混合により得られる照明光は黒体軌跡からの乖離が大きくなり、好ましくない光となる。そこで発明者は検討の結果、これらの範囲における照明光の光量を減らす、またはゼロにすることに想到した。このような光量の制御を行うことにより、人間が照明光に対し違和感を感じにくくなる。具体的には、図３に示すように、得られる照明光Ｐ０（ｘ0，ｙ0）の光量の範囲を色温度の観点から限定した。より詳細には、２３００Ｋ以下の色温度の範囲である低温度側の第１の色温度範囲において、第１及び第２の発光素子３１、３２の各々の最大光量の合計値である可能総最大光量の３０％以下の光量になるよう、照明光の光量を設定した。また、６５００Ｋ以上の色温度の範囲である高温度側の第２の色温度範囲において、第１及び第２の発光素子３１、３２の双方の光量をゼロにし、照明光の光量をゼロに設定した。
【００４２】
上記のように、第１及び第２の発光素子３１、３２によって得られる照明光について、色温度の観点から高温度側および低温度側における一定範囲の色温度に渡って、その光量を減らす、またはゼロにすることにより、黒体軌跡から乖離した光を減らすことができる。この結果、人間が違和感を感じにくい照明光が得られる。
【００４３】
図４は、上記の実施形態における色温度と光量の関係を示す照明光の調光カーブを示したものである。本実施形態では、光量決定部（制御信号入力部２０、駆動信号変換部２３）が、最も太い線の調光カーブ（ＤＥＢＧ）に則って照明光の色温度に対し光量を決定する。２７００以下のＫ以下の調光カーブ（ＢＧ）は、一般的な白熱灯の調光カーブに倣ったものであり、この中で２３００Ｋ未満の色温度の範囲において、照明光の光量は、可能総最大光量の３０％になっている。一方、６５００Ｋを越える色温度の範囲において、照明光の光量はゼロになっている（ＥＤＨＩ）。また、上述した可能総最大光量は約４０００Ｋにおいて得られ、Ａ１Ｊ＝１００％である。
【００４４】
点線は、第１の発光素子３１と第２の発光素子３２各々の光量を、特定の色温度を得る条件で（特定のｘ軸上の位置で）最大にした場合の出力可能な最大合計の光量（照明光の光量）である。ここで、線分ＦＧは、第１の発光素子３１が単独で発光する際の最大光量に相当し、線分ＨＩは、第２の発光素子３２が単独で発光する際の最大光量に相当し、可能総最大光量に相当する線分Ａ１Ｊは線分ＦＧと線分ＨＩの和に等しい（Ａ１Ｊ＝ＦＧ＋ＨＩ）。従って、２７００Ｋ〜６５００Ｋにおける三角形Ａ１ＢＥの部分は、本来出力可能であるが、光量決定部によって抑制された結果出力されない光量のエネルギーに相当する。このエネルギーは、光量決定部の作用（抵抗成分の増大など）によって棄てられるいわば損失エネルギーである。
【００４５】
図５は、変形例における色温度と光量の関係を示す照明光の調光カーブを示したものである。本例においては、第１の色温度範囲である２７００Ｋ未満の色温度において、光量をゼロにしている。また、第２の温度範囲を５０００Ｋを越える色温度範囲とし、当該範囲でも光量をゼロにしている。一般的に、色温度が２７００Ｋ〜５０００Ｋの範囲の照明光が実用上用いられることが多いからである。
【００４６】
この調光カーブは、色温度が２７００Ｋの第１の発光素子３１と色温度が５０００Ｋの第２の発光素子３２との組み合わせ（組み合わせＡ）により実現可能である。また、この調光カーブは、図４の場合と同様、色温度が２０００Ｋの第１の発光素子３１と色温度が８０００Ｋの第２の発光素子３２との組み合わせ（組み合わせＢ）によっても実現可能である。
【００４７】
上記のように、実現したい色温度の範囲（２７００Ｋ〜５０００Ｋ）よりも低温度側および高温度側の発光素子であれば、基本的にどのような色温度の発光素子でも使用は可能である。ただし、図示したように二つの組み合わせについて、第１の発光素子３１と第２の発光素子３２各々の光量を最大にした場合の出力可能な最大合計の光量（照明光の光量）は実線（ＥＡ１Ｂ）と点線（ＨＥＡ２ＢＦ）で示したように異なる。発光素子の色温度の差が各組み合わせにおいて異なっているためである。組み合わせＡにおいて色温度差は５０００Ｋ−２７００Ｋ＝２３００Ｋであり、組み合わせＢにおいて色温度差は８０００Ｋ−２０００Ｋ＝６０００Ｋである。
【００４８】
そして、基本的には色温度差は大きい方が好ましく、本例においては組み合わせＢが組み合わせＡより好ましい。好ましい理由は以下の（１）、（２）である。
【００４９】
（１）色温度差が大きい組み合わせの方が損失エネルギーが小さくなり、消費電力の低減が可能となるからである。組み合わせＢにおいて、損失エネルギーは三角形Ａ２ＢＥの部分に相当するが、組み合わせＡにおいて、損失エネルギーは三角形Ａ１ＢＥの部分に相当する。したがって、組み合わせＢは組み合わせＡよりも、領域（Ａ１ＢＡ２＋Ａ１ＥＡ２）の分だけ損失エネルギーが少ない。
【００５０】
（２）色温度差が大きい組み合わせの方が、各発光素子に要求される最大光量（パワー）を小さくすることができるからである。組み合わせＢにおいて、第１の発光素子３１に要求される最大光量はＦＧであり、第２の発光素子３２に要求される最大光量はＨＩである。一方、組み合わせＡにおいて、第１の発光素子３１に要求される最大光量はＢＣであり、第２の発光素子３２に要求される最大光量はＥＤである。ＢＣ（組み合わせＡ）＞ＦＧ（組み合わせＢ）、ＥＤ（組み合わせＡ）＞ＨＩ（組み合わせＢ）であることは明らかである。したがって、組み合わせＢは組み合わせＡよりもよりパワーの小さい発光素子を使用することができ、コストやサイズを低減することができる。
【００５１】
上記実施形態および変形例に示すように、第１の色温度範囲または第２の色温度範囲のいずれかにおける照明光の光量がゼロになるよう設定してもよいし（図４）、両範囲における照明光の光量がゼロになるよう設定してもよい（図５）。また、両範囲における照明光の光量が、ゼロより大きく可能総最大光量の３０％以下の光量になるようにしてもよい。また。
【００５２】
ここで、第１の色温度範囲または第２の色温度範囲を決定する方法について、厳密には限定されないものの、黒体軌跡からの乖離の度合いを表すｄｕｖが＋０．０２を超える照明光の色温度の範囲を、第１の色温度範囲または第２の色温度範囲として決定することができる。なお、第１の発光素子３１および第２の発光素子３２の色温度が変化した場合、図３において黒体軌跡に対する直線の相対位置が変化するため、ｄｕｖが＋０．０２を超える照明光の色温度も変化することとなる。
【００５３】
上記のような調光カーブは、駆動信号変換部２３のメモリに登録されている。光量決定部を構成する制御信号入力部２０と駆動信号変換部２３は、照明光源３からの照明光の色温度および光量が、操作部１１の操作入力に応じた色温度および光量となるように、第１の発光素子３１と第２の発光素子３２の各々の光量を決定する。この光量決定部が決定した光量に従い、発光素子駆動部（第１発光素子駆動部２２Ａと第２発光素子駆動部２２Ｂ）は第１の発光素子３１と第２の発光素子３２に給電を行い、図４、５の調光カーブが得られる。
【００５４】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【符号の説明】
【００５５】
１  コントローラ
２  電源ユニット
３  照明光源
３１  第１の発光素子
３２  第２の発光素子
１１  操作部
２０  制御信号入力部（光量決定部）
２２Ａ  第１発光素子駆動部（発光素子駆動部）
２２Ｂ  第２発光素子駆動部（発光素子駆動部）
２３  駆動信号変換部（光量決定部）
３４  コネクタ付ハウジングユニット
３６  コネクタ
４０  照明器具
【図１】
2014212082.tif 000004
【図２】
2014212082.tif 000005
【図３】
2014212082.tif 000006
【図４】
2014212082.tif 000007
【図５】
2014212082.tif 000008